(57)【要約】【課題】框材同士を突き当ててコーナーブロックで連結する構造において、乾式のシール材により確実に框材間の気密性及び水密性を確保することのできる開口部装置を提供する。【解決手段】上下框と左右の縦框はそれぞれ中空部２１ｉを有し、中空部２１ｉは少なくとも框体３の室内側面を構成する室内壁部２１ｊを備え、上下框と左右の縦框とは、それぞれ端面がシール材３１を介在して突き合わされると共に、中空部２１ｉに対して挿入されるコーナーブロック３２により連結され、中空部２１ｉの室内壁部２１ｊには、中空部２１ｉに挿入されたコーナーブロック３２の室内側面と当接する当接部２１ｐが形成され、当接部２１ｐによりコーナーブロック３２の室内側面の位置が室内壁部２１ｊより室外側寄りに規制される。【選択図】図８
2014020151.tif 000002
【特許請求の範囲】
【請求項１】
上下枠と左右の縦枠を枠組みしてなる枠体内に、上下框と左右の縦框を框組みしてなる框体にパネル体を納めた障子を収納した開口部装置において、
前記上下框と左右の縦框はそれぞれ中空部を有し、該中空部は少なくとも前記框体の室内側面を構成する室内壁部を備え、
前記上下框と左右の縦框とは、それぞれ端面がシール材を介在して突き合わされると共に、前記中空部に対して挿入されるコーナーブロックにより連結され、
前記中空部の室内壁部または該室内壁部以外の前記中空部を構成する壁部には、前記中空部に挿入されたコーナーブロックの室内側面と当接する当接部が形成されることを特徴とする開口部装置。
【請求項２】
前記当接部は前記室内壁部または該室内壁部以外の前記中空部を構成する壁部の内面側に形成される突起からなることを特徴とする請求項１記載の開口部装置。
【請求項３】
前記シール材は前記上下框と左右の縦框の室内側壁間に介在する室内側部を有し、該室内側部は前記室内側壁と前記中空部内であって前記コーナーブロックの室内側面より室内側の領域とに渡る幅を有することを特徴とする請求項１または２記載の開口部装置。
【発明の詳細な説明】
【技術分野】
【０００１】
本発明は、建物開口部に設けられる枠体内に障子を納めてなる開口部装置に関し、特に障子を構成する框体について框材同士を突き合わせコーナーブロックにより連結した開口部装置に関する。
【背景技術】
【０００２】
建物開口部に設けられる開口部装置は、枠体内に障子を納めて構成される。障子は、框体内にガラス板などのパネル体を納めて構成される。框体は、上框と下框及び左右の縦框が方形状に框組みされるが、その固定方法の一つとして、各框材の両端部をそれぞれ傾斜面状とし、上框と下框の両端部をそれぞれ縦框の両端部に突き合わせ、固定する手法が用いられている。
【０００３】
かかる固定方法においては、框材の連結部分にコーナーブロックが設けられる。コーナーブロックは、２つの挿入部が略Ｌ字状をなすように形成されており、各挿入部が連結される両框材の中空部に挿入され、挿入後に各框材に対しカシメにより固定されることで、両者を連結した状態とする。このように框材同士を突き当て、コーナーブロックにより連結する框体を有した開口部装置としては、例えば特許文献１に挙げるようなものがある。
【先行技術文献】
【特許文献】
【０００４】
【特許文献１】特開２０１１−１７４２４７号公報
【発明の概要】
【発明が解決しようとする課題】
【０００５】
特許文献１は樹脂サッシについてであるので、框材同士を溶着することで、框材間の気密性及び水密性確保を図っているが、金属材からなる框材同士が突き当てられて連結される場合には、気密性及び水密性確保のため、框材の連結後にコーキング材などの湿式のシール材を設けていた。しかし、湿式のシール材は、経年劣化により気密性及び水密性の確保が困難になるという問題を有している。
【０００６】
そこで、突き当てられる框材間に乾式のシール材を設け、このシール材によって框材間の気密性及び水密性を確保することが考えられる。このとき、シール材は框材の肉厚部分によって挟持され、かつ、意匠性確保のため室内側にはみ出すことがないように形成される。
【０００７】
ここで、コーナーブロックは框材の中空部に挿入されるが、框材をがたつきなく確実に連結するため、コーナーブロックの外面形状は中空部の挿入領域形状と略同じとなるように形成される。框材の中空部を形成する室内側壁が框体の室内側面を構成していると、コーナーブロックの室内側面が框材の室内側壁と隣接するため、シール材の室内側部分は、室内側壁の厚み分しか確保できず、極めて細幅となってしまう。シール材において気密性及び水密性を十分に確保するためには、一定以上の幅を確保する必要があるが、シール材の室内側部分において幅を大きくした場合には、コーナーブロックと干渉して位置ずれを生じ、シール材が室内側に露出して意匠性を悪化させたり、また気密性や水密性の低下を招いたりする可能性があった。
【０００８】
本発明は前記課題を鑑みてなされたものであり、框材同士を突き当ててコーナーブロックで連結する構造において、乾式のシール材により確実に框材間の気密性及び水密性を確保することのできる開口部装置を提供することを目的とする。
【課題を解決するための手段】
【０００９】
前記課題を解決するため、請求項１の発明に係る開口部装置は、上下枠と左右の縦枠を枠組みしてなる枠体内に、上下框と左右の縦框を框組みしてなる框体にパネル体を納めた障子を収納した開口部装置において、
前記上下框と左右の縦框はそれぞれ中空部を有し、該中空部は少なくとも前記框体の室内側面を構成する室内壁部を備え、
前記上下框と左右の縦框とは、それぞれ端面がシール材を介在して突き合わされると共に、前記中空部に対して挿入されるコーナーブロックにより連結され、
前記中空部の室内壁部または該室内壁部以外の前記中空部を構成する壁部には、前記中空部に挿入されたコーナーブロックの室内側面と当接する当接部が形成されることを特徴として構成されている。
【００１０】
請求項１に係る発明によれば、当接部によりコーナーブロックの室内側面の位置が室内壁部より室外側寄りに規制され、中空部に挿入されるコーナーブロックの室内側面と框体の室内側壁との間が離れるので、框体の室内側壁に挟持されるシール材の室内側部の幅を、室内側壁の肉厚より大きくすることができる。
【００１１】
また、請求項２の発明に係る開口部装置は、前記当接部は前記室内壁部または該室内壁部以外の前記中空部を構成する壁部の内面側に形成される突起からなることを特徴として構成されている。
【００１２】
請求項２に係る発明によれば、当接部を簡易な構造で形成することができる。
【００１３】
さらに、請求項３の発明に係る開口部装置は、前記シール材は前記上下框と左右の縦框の室内側壁間に介在する室内側部を有し、該室内側部は前記室内側壁と前記中空部内であって前記コーナーブロックの室内側面より室内側の領域とに渡る幅を有することを特徴として構成されている。
【００１４】
請求項３に係る発明によれば、シール材の室内側部における幅を確保して、シール材による框材間の気密性及び水密性を高くすることができる。
【発明の効果】
【００１５】
本発明に係る開口部装置によれば、シール材の室内側部の幅を室内側壁の肉厚より大きくできるので、乾式のシール材によって確実に框材間の気密性及び水密性を確保することができると共に、シール材が室内側にはみ出すことを防止して意匠性を良好に保つことができる。
【図面の簡単な説明】
【００１６】
【図１】第１の実施形態における開口部装置の正面図である。
【図２】第１の実施形態における開口部装置の縦断面図である。
【図３】第１の実施形態における開口部装置の横断面図である。
【図４】図２のうち下枠及び下框付近の拡大図である。
【図５】枠体の枠組み工程を表した概要正面図である。
【図６】框体の框組み工程を表した概要正面図である。
【図７】シール材の正面図である。
【図８】下框に突き合わせたシール材の正面図である。
【図９】別の形態の当接部付近の拡大断面図である。
【図１０】コーナーブロックの側面図である。
【図１１】シール材を取付けたコーナーブロックの断面図である。
【図１２】コーナーブロックによる下框と縦框の連結部分における連結前状態の斜視図である。
【図１３】第２の実施形態における開口部装置の縦断面図である。
【図１４】第２の実施形態における開口部装置の横断面図である。
【図１５】枠体の正面図である。
【図１６】図１３のうち下外枠と下内枠及び下框付近の拡大図である。
【図１７】枠体の枠組み工程について表した正面図である。
【図１８】図１７と異なる枠体の枠組み工程を表した正面図である。
【図１９】第３の実施形態における開口部装置の正面図である。
【図２０】図１９のＡ−Ａ断面図である。
【図２１】図１９のＢ−Ｂ断面図である。
【図２２】図１９のＣ−Ｃ断面図である。
【図２３】図１９のＤ−Ｄ断面図である。
【図２４】下枠と縦中間枠との連結部分における拡大断面図である。
【図２５】固定金具の側面図である。
【図２６】固定金具の取付工程を表した平面図である。
【発明を実施するための形態】
【００１７】
本発明の実施形態について図面に沿って詳細に説明する。図１には、第１の実施形態における開口部装置の正面図を示している。第１の実施形態の開口部装置は、建物開口部に取付けられる枠体１内に障子２を開閉自在に納めたものである。図１は開口部装置を室内側から見た図であり、この開口部装置は、障子２の一方の縦辺側を軸として室内側に向かって開く動作と、障子２の下辺側を軸として室内側に傾倒させる動作の両方が可能なドレーキップ窓サッシとして構成されている。
【００１８】
障子２は、框体３内にパネル体４を納めて構成されている。障子２にはハンドル６が設けられており、ハンドル６を所定角度、例えば９０度回動させることで、障子２を内倒し状に開くことができ、ハンドル６をさらに大きい角度、例えば１８０度回動させることで、障子２のハンドル６と反対側の縦辺側を軸として室内側に開くことができる。
【００１９】
図２には第１の実施形態における開口部装置の縦断面図を、図３には第１の実施形態における開口部装置の横断面図を、それぞれ示している。これら各図に示すように、開口部装置の枠体１は、上枠１０と下枠１１及び左右の縦枠１２，１２を方形状に枠組みしている。また、障子２は、上框２０と下框２１及び左右の縦框２２，２２を方形状に框組みしてなる框体３内にガラス板などからなるパネル体４を納めている。
【００２０】
障子２は、前述した２つの開閉を可能とするため、上下辺と左右辺の両方で回動支持部材５により枠体１に支持されている。ハンドル６の回動に伴い、上下辺の回動支持部材５または左右辺の回動支持部材５のいずれか一方の支持状態が解除され、支持状態を維持している回動支持部材５によって障子２を内開き状に開くことができる。
【００２１】
枠体１を構成する上枠１０は、金属製の室内上枠１０ａと室外上枠１０ｂとを、断熱性を有する材料からなる枠ブリッジ材１３で連結して形成されている。同様に枠体１を構成する下枠１１は、金属製の室内下枠１１ａと室外下枠１１ｂとを、枠ブリッジ材１３で連結して形成され、枠体１を構成する縦枠１２は、金属製の室内縦枠１２ａと室外縦枠１２ｂとを、枠ブリッジ材１３で連結して形成されている。
【００２２】
上枠１０の室外端部には、内周面１０ｃから内周側に向かって伸びる起立面１０ｄが形成され、その先端部には当接気密材１５が保持されていて、該当接気密材１５が框体３の室外側面に当接している。下枠１１の室外端部にも起立面１１ｄが形成されて先端部に当接気密材１５が保持され、さらに縦枠１２の室外端部にも起立面１２ｄが形成されて先端部に当接気密材１５が保持され、各当接気密材１５が框体３の室外側面に当接している。当接気密材１５は四周に渡って設けられており、枠体１と障子２の間を四周に渡って連続的に気密する。
【００２３】
上枠１０の内周面１０ｃには、断熱部材１４が長手方向に沿って設けられている。断熱部材１４は、枠ブリッジ材１３に跨がるように配置されており、上枠１０の内周面１０ｃと上框２０の外周面２０ｄとの間の空間を室内外に遮断すると共に、先端部が上框２０に対して当接しており、冷気を遮断して断熱性を高くする機能を有する。下枠１１の内周面１１ｃと縦枠１２の内周面１２ｃにも、それぞれ断熱部材１４が設けられている。特に下枠１１においては断熱部材１４が排水経路の一部を構成する。その詳細は後述する。
【００２４】
框体３を構成する上框２０は、金属製の室内上框２０ａと室外上框２０ｂとを、断熱性を有する材料からなるブリッジ材２３で連結して形成されている。同様に框体３を構成する下框２１は、金属製の室内下框２１ａと室外下框２１ｂとを、ブリッジ材２３で連結して形成され、框体３を構成する縦框２２は、金属製の室内縦框２２ａと室外縦框２２ｂとを、ブリッジ材２３で連結して形成されている。このように、枠体１と框体３について、それぞれ金属製の部材を枠ブリッジ材１３またはブリッジ材２３で連結して形成することにより、開口部装置の断熱性能を高くすることができる。
【００２５】
框体３を構成する各框材の両端部はそれぞれ４５度の角度を有する傾斜面状とされており、上框２０と縦框２２、下框２１と縦框２２が、それぞれ突き当てられ、後述するコーナーブロックによって連結される。かかる連結構造においては、各框材の肉厚部分が互いに突き当てられる必要があるため、框体３を構成する上框２０と下框２１及び縦框２２は、同じ断面形状を有している。
【００２６】
框体３は、パネル体４を押縁構造で固定している。押縁構造は、パネル体４の室内外面の一方が框体３により、他方が框体３に取付けられる押縁部材２４により保持されるものであり、本実施形態では、パネル体４の室外側面は上框２０と下框２１及び縦框２２の室外側面に挟持され、パネル体４の室内側面は押縁部材２４により挟持される。
【００２７】
上框２０の外周面２０ｄ室内端部には、外周側に向かって伸びる起立面２０ｅが形成され、その先端部には当接気密材２６が保持されていて、該当接気密材２６が枠体１の室内側面に当接している。下框２１の外周面２１ｄ室内端部にも起立面２１ｅが形成され、その先端部には当接気密材２６が保持され、縦框２２の外周面２２ｄ室内端部にも起立面２２ｅが形成され、その先端部には当接気密材２６が保持される。このように、当接気密材２６は四周に渡って設けられて、枠体１に対して室内側から当接し、気密性を高くしている。
【００２８】
下框２１から下枠１１にかけての排水構造につき詳細に説明する。図４には、図２のうち下枠１１及び下框２１付近の拡大図を示している。ここでは、下框２１内に浸入した水を室外側に排水する排水経路につき説明する。下框２１には、パネル体４を挟持している部分の内側に雨水や結露水が浸入することがある。下框２１の内周面２１ｃ室内端部には、押縁部材２４を係止させる係止部２１ｆが形成されている。下框２１内に浸入した水の水位がこの係止部２１ｆを超えると、水が室内側に浸入することになるので、水が継続的に浸入したとしても係止部２１ｆを超えない水位を維持できるような排水構造が必要となる。
【００２９】
下框２１を構成する室内下框２１ａと室外下框２１ｂは、内周面が同一面内にあり、ブリッジ材２３を跨ぐようにセッティングブロック２５が載置され、その上にパネル体４が載置されている。室内下框２１ａの室外側面には、ブリッジ材２３の室内端部を保持する室内固着部２１ｇが形成され、室外下框２１ｂの室内側面には、ブリッジ材２３の室外端部を保持する室外固着部２１ｈが形成されている。ブリッジ材２３は、室内固着部２１ｇに保持される室内固定部２３ａと、室外固着部２１ｈに保持される室外固定部２３ｂと、これらの間に形成される凹状部２３ｃとを有している。ブリッジ材２３は、下框２１の内外周方向に２つが並設配置されている。
【００３０】
２つのブリッジ材２３は、いずれも凹状部２３ｃが下方に向かって凹となるように配置される。すなわち、凹状部２３ｃの底面は、框体３の外周寄りに配置されることとなる。ブリッジ材２３は、長手方向に沿って同じ断面形状を有している。すなわち、凹状部２３ｃはブリッジ材２３の長手方向略全長に渡って溝状をなしている。凹状部２３ｃには、長手方向に複数の排水孔（図示しない）が形成されており、下框２１の内周面２１ｃに浸入した水を下枠１１の上面側に排水することができる。
【００３１】
ブリッジ材２３に凹状部２３ｃが形成され、凹状部２３ｃの底面が框体３の外周寄りとなるように配置されることにより、ブリッジ材２３の凹状部２３ｃの底面と下框２１の内周面２１ｃとの間に十分な高さが確保される。これにより、下框２１内に対する水の浸入が継続的であっても、ブリッジ材２３の上に溜まる水の水位が下框２１の内周面まで達しないようにすることができる。したがって、下框２１に水が継続的に浸入したとしても、ブリッジ材２３上の水の水位が係止部２１ｆを超えない状態を維持することができる。
【００３２】
また、ブリッジ材２３から下框２１の内周面２１ｃまでの高さが十分に確保されていない場合、ブリッジ材２３上の水位が急速に上昇した際に、水面がセッティングブロック２５に達することで水滴が飛散され、水が室内側に浸入することがあった。これについても、セッティングブロック２５の下面は下框２１の内周面２１ｃの位置と同じであり、本実施形態では凹状部２３ｃの底面からセッティングブロック２５の下面までの高さが十分に確保されているので、室内側への水の浸入を確実に防止することができる。
【００３３】
ブリッジ材２３を介して下框２１から排水された水は、下枠１１の上面側に滴下される。下枠１１には、ブリッジ材２３と対向する位置に断熱部材１４が設けられている。断熱部材１４は、下枠１１に対して固定される基端部１４ａを有し、基端部１４ａの上方には、下框２１の外周面２１ｄに対して当接する当接部１４ｂと、断熱部材１４の上面を構成する排水路１４ｃとをさらに有している。
【００３４】
断熱部材１４の排水路１４ｃは、室内側から室外側に向かう下方傾斜状となるように形成されていて、下框２１のブリッジ材２３と対向している。したがって、ブリッジ材２３から滴下された水は、断熱部材１４の排水路１４ｃ上で室外側へと導かれる。
【００３５】
下枠１１には、室外側面より室内側寄りの奥まった位置に排水口１１ｅが形成されている。排水口１１ｅは、断熱部材１４に形成された排水路１４ｃの室外端部と隣接しており、排水路１４ｃで室外側に導かれた水を室外側に排水する。
【００３６】
下枠１１の室外側面には、排水口１１ｅが形成された部分を室外側から隠す隠し面部１１ｆが形成されている。排水口１１ｅを下枠１１の室外側面から奥まった位置に形成すると共に、下枠１１の室外側面に隠し面部１１ｆを形成したことにより、排水口１１ｅを室外側から見えにくくして意匠性を高くすることができる。また、排水弁部品などを設けていないので、この点でも意匠性を良好にすることができる。
【００３７】
排水口１１ｅは、隠し面部１１ｆで室外側に直接露出しないように配置されているので、室外側から水が入り込みにくくなっているが、仮に水が排水口１１ｅから下枠の室内側に浸入してきたとしても、断熱部材１４によって空間が室内側と遮断されているので、室内側に水を浸入させることがないようにすることができる。
【００３８】
次に、枠体１の枠組みと框体３の框組みについて説明する。図５には、枠体１の枠組み工程を表した概要正面図を示している。図５（ａ）に示すように、枠体１を構成する上枠１０と下枠１１は、両端面がそれぞれ縦枠１２の側面上下端部に突き当てられる。上枠１０と下枠１１の両端部と縦枠１２の側面との間には、乾式の枠シール材３０を介在させる。上枠１０と下枠１１を縦枠１２の側面に突き当てたら、縦枠１２のうち上枠１０と下枠１１が突き当てられる側と反対側からネジ止め固定し、図５（ｂ）のように枠体１が枠組みされる。
【００３９】
図６には、框体３の框組み工程を表した概要正面図を示している。図６（ａ）に示すように、框体３を構成する上框２０と下框２１及び左右の縦框２２，２２は、いずれも両端面が４５度の角度をなしており、連結される框材と互いに突き当てることで、互いに９０度の角度をなすことができるように形成されている。框材の連結がなされる４つのコーナー部には、それぞれ略Ｌ字状をなすコーナーブロック３２が設けられる。
【００４０】
コーナーブロック３２は、連結される上框２０と縦框２２または下框２１と縦框２２の各端面から挿入される。框材に挿入されたコーナーブロック３２は、框材からのカシメによって固定される。コーナーブロック３２には、連結される框材の各端面に沿う乾式のシール材３１が仮止めされており、このシール材３１が連結される框材の各端面間に介在することで、框材間の気密性及び水密性確保を図っている。コーナーブロック３２が各框材に固定されることで、框材は連結され図６（ｂ）のように框体３が框組みされる。
【００４１】
図４に示すように、下框２１を構成する室内下框２１ａには、方形状の中空部２１ｉが形成されている。中空部２１ｉは、下框２１の室内側面を構成する室内側壁２１ｊと、室内側壁２１ｊと隣接して下框２１の内周面２１ｃを構成する上壁部２１ｋと、室内側壁２１ｊと隣接して下框２１の外周面２０ｄを構成する下壁部２１ｍと、上壁部２１ｋ及び下壁部２１ｍと隣接し室内固着部２１ｇを有する室外壁部２１ｎに囲まれている。この中空部２１ｉに端部からコーナーブロック３２が挿入される。なお、上框２０や縦框２２も下框２１と断面同形状であって同様の中空部を有しており、コーナーブロック３２が挿入される。中空部２１ｉを形成する室内側壁２１ｊには、上下中間位置に中空部２１ｉ内に向かって突出する突起状の当接部２１ｐが形成されている。
【００４２】
框体３に用いられるシール材３１についてさらに説明する。図７にはシール材３１の正面図を示している。シール材３１は、框体３の連結部分４箇所にそれぞれ設けられるが、前述のように框体３を構成する各框材は同じ断面形状を有しているから、４箇所とも同形状のシール材３１が用いられる。図７に示すように、框材の中空部に対応する部分には、コーナーブロック３２を挿通させるための孔部３１ａが形成されている。孔部３１ａの室内側は、細幅の室内側部３１ｂとなっている。
【００４３】
図８には、下框２１に突き合わせたシール材３１の正面図を示している。この図に示すように、シール材３１は框体３を構成する框材の断面形状に略沿う形状を有しており、連結される框材の肉厚部分で挟持されるようになっている。前述のように、下框２１の中空部２１ｉを形成する室内側壁２１ｊは突起状の当接部２１ｐを有しているので、コーナーブロック３２の室内側面は当接部２１ｐの先端面に当接して、コーナーブロック３２の室内側面の位置が室内壁部２１ｊよりも室外側位置に規制される。
【００４４】
このため、シール材３１の室内側部３１ｂを、室内側壁２１ｊの肉厚と当接部２１ｐの突出高さとを合わせた幅としても、シール材３１がコーナーブロック３２と干渉しないようにすることができて、気密性及び水密性を確保できる十分な幅を室内側部３１ｂに確保することができる。これによって、シール材３１による気密性及び水密性を十分に確保することができる。また、室内側部３１ｂに幅を確保したことにより、シール材３１が框材の端面に挟持された際に室内側にはみ出すことを防止し、意匠性を悪化させることがないようにすることができる。
【００４５】
ここでは下框２１について当接部２１ｐとシール材３１との関係を示したが、前述のように上框２０や縦框２２も同じ断面形状を有するから、同様に当接部を有しており、上框２０と縦框２２を連結する部分のシール材３１についても、室内側部３１ｂの幅を十分に確保して同様の効果を得ることができる。
【００４６】
当接部２１ｐの構成としては、図４に示したような形状及び配置には限られない。図９には、別の形態の当接部２１ｐ付近の拡大断面図を示している。図９（ａ）に示すように、当接部２１ｐがある程度の幅を有するように形成してもよい。このように当接部２１ｐが幅を有していると、室内側壁２１ｊにおいて肉厚の大きい領域が形成されるので、下框２１の室内側面に何らかの部品を取付ける場合などに、ネジ孔を形成する領域としても用いることができる。また、図９（ｂ）に示すように、当接部２１ｐを室内側壁２１ｊに隣接した上壁部２１ｋと下壁部２１ｍに形成しても、同様にコーナーブロック３２の室内側面を室内側壁２１ｊより室外側位置に規制することができる。
【００４７】
コーナーブロック３２による框材の連結についてさらに説明する。図１０には、コーナーブロック３２の側面図を示している。コーナーブロック３２は、連結される一方の框の中空部に対して挿入される第１挿入部３２ａと、連結される他方の框の中空部に対して挿入される第２挿入部３２ｂとが、略Ｌ字状をなすように形成されている。
【００４８】
コーナーブロック３２の第１挿入部３２ａと第２挿入部３２ｂにより形成される角部には、両面にそれぞれ切欠状の位置規制部３２ｃ，３２ｃが形成されている。図１１には、シール材３１を取付けたコーナーブロック３２の断面図を示している。この図に示すように、コーナーブロック３２には、第１挿入部３２ａと第２挿入部３２ｂに対し傾斜状となるようにシール材３１を取付けることができる。シール材３１の孔部３１ａは、図８に示すように上辺の縁部と下辺の縁部が、中空部２１ｉの内側となっており、中空部２１ｉよりも小さく形成されている。シール材３１の孔部３１ａにコーナーブロック３２を差し込むことで、孔部３１ａの上下辺縁部がそれぞれコーナーブロック３２の角部において位置規制部３２ｃに係止される。これにより、シール材３１をコーナーブロック３２に対し仮止め状態とすることができる。
【００４９】
框材の連結にあたっては、予めコーナーブロック３２にシール材３１を仮止めしておき、コーナーブロック３２を連結される框材にそれぞれ挿入する。図１２には、コーナーブロック３２による下框２１と縦框２２の連結部分における連結前状態の斜視図を示している。この図に示すように、シール材３１はコーナーブロック３２に仮止めされて一体化されている。
【００５０】
下框２１と縦框２２は、それぞれ端面が４５度の傾斜状に形成されている。コーナーブロック３２に仮止めされたシール材３１は、両面がそれぞれ下框２１と縦框２２の端面に対して対向しており、コーナーブロック３２の第１挿入部３２ａと第２挿入部３２ｂをそれぞれ下框２１と縦框２２に対して挿入することにより、シール材３１は下框２１の端面と縦框２２の端面によって挟持される。
【００５１】
コーナーブロック３２は、框材を連結するものであるから、框材の中空部に対してクリアランスがほとんど設定されていない。したがって、位置規制部３２ｃによりコーナーブロック３２に位置決めされているシール材３１は、コーナーブロック３２を框材に対し挿入することで、框材の端面に対して正確に位置決めされる。これにより、シール材３１を框材の端面に対して位置決めする作業を不要とすることができ、框組みの作業性を向上させることができる。また、シール材３１が正確に位置決めされるので、框材間からシール材３１が室内側にはみ出して、意匠性を悪化させることを防止することもできる。
【００５２】
ここでは、下框２１について中空部２１ｉの構成につき説明し、また、下框２１と縦框２２の連結部分について、連結工程につき説明したが、他の框材も下框２１と同じ断面形状を有しており、框体３に形成される４箇所のコーナー部分は、いずれも同様の構成でコーナーブロック３２により連結されると共に、框材間にシール材３１が介在する。また、コーナーブロック３２に形成される位置規制部３２ｃの形状及び位置は、本実施形態で説明したものには限られず、シール材３１を正確に位置決めすると共に仮止めできるものであればよい。さらには、本実施形態で位置規制部３２ｃはコーナーブロック３２の両面にそれぞれ形成されているが、片側に形成されていてもよい。
【００５３】
次に、本発明の第２の実施形態について説明する。図１３には第２の実施形態における開口部装置の縦断面図を、図１４には第２の実施形態における開口部装置の横断面図を、それぞれを示している。第２の実施形態の開口部装置は、枠体５０内に障子５１を開閉自在に納めて構成されている。障子５１は、框体５２内にパネル体５３を納めてなり、ハンドル５５を操作することにより、一方の縦辺を軸として室外側に向かって開くことができる。すなわち、本実施形態の開口部装置は、縦辷り出し窓として構成されている。
【００５４】
枠体５０は、外枠５０ａの内周面に内枠５０ｂを一体化して構成されている。このうち外枠５０ａは、第１の実施形態の枠体１と同形状である。第１の実施形態の枠体１は、室外側面に起立面２０ｅ，２１ｅ，２２ｅが形成されているから、そのままでは外開きの障子を有する窓に適用することができない。そこで、本実施形態の開口部装置は、室内側に起立面を有する内枠５０ｂを、第１の実施形態の枠体１の内周側に設けることで、外開きの障子５１を納めることができるようにしたものである。
【００５５】
外枠５０ａは、横外枠である上外枠６０及び下外枠６１と、左右の縦外枠６２，６２とを方形状に枠組みしたものである。外枠５０ａは前述のように第１の実施形態の枠体１と同形状であり、室内側と室外側の金属部材を枠ブリッジ材６３で連結して一体化されている。
【００５６】
内枠５０ｂは、横内枠である上内枠６５及び下内枠６６と、左右の縦内枠６７，６７とを方形状に枠組みしたものである。上内枠６５には室内側面が内周側に延出された室内起立面６５ａが形成され、その先端部には当接気密材６４が保持されて框体５２の室内側面に当接する。下内枠６６にも室内起立面６６ａが形成され、その先端部には当接気密材６４が保持されて框体５２の室内側面に当接する。縦内枠６７にも室内起立面６７ａが形成されていて、その先端部には当接気密材６４が保持され框体５２の室内側面に当接する。
【００５７】
内枠５０ｂの内周面は、外枠５０ａの室外端部に形成された起立面の内周端部と略面一状となっており、内枠５０ｂの室内起立面６５ａ，６６ａ、６７ａは、外枠５０ａの起立面よりも内周側に突出している。障子５１は内枠５０ｂの内周面より内側に納められるから、框体５２の室内側面が内枠５０ｂの室内起立面６５ａ，６６ａ，６７ａと対向し、障子５１が枠体５０に外開き状に保持される。
【００５８】
このように、室外側に起立面を有する外枠５０ａの内周面に内枠５０ｂを設け、内枠５０ｂの室内側に室内起立面を形成して、該室内起立面が外枠５０ａの起立面より内周側まで伸びるようにしたことにより、外枠５０ａを構成する枠材を第１の実施形態に用いた枠材と共用化することができるので、部品の共用化によるコストダウンを図ることができる。また、内枠５０ｂについては各枠材の端面を傾斜面状として、これらを突き当てて連結する枠組み構造を採用しているので、部品の構成と加工形状を簡単にすると共に枠組み作業を簡単にして、よりコストダウンを図ることができる。
【００５９】
框体５２は、上框７０と下框７１及び左右の縦框７２，７２からなり、第１の実施形態と同様、室内側と室外側の金属部材をブリッジ材７３で一体化して形成している。また、パネル体５３は框体５２の室内側に設けられる押縁部材７４と框体５２の室外側面とで挟持されて固定される。
【００６０】
外枠５０ａと内枠５０ｂの枠組み構造につき、より詳細に説明する。図１５には枠体５０の正面図を示している。この図に示すように、外枠５０ａは、上外枠６０と下外枠６１の両端面がそれぞれ左右の縦外枠６２，６２の側面に突き当てられて固定されている。これは、第１の実施形態における枠体１と同様である。
【００６１】
一方、内枠５０ｂは、上内枠６５と下内枠６６及び左右の縦内枠６７，６７の両端面が、それぞれ４５度の傾斜面状とされて互いに突き当てられ、コーナーブロック（図示しない）を各枠材に挿入しカシメ固定することで連結され、固定されている。
【００６２】
図１６には、図１３のうち下外枠６１と下内枠６６及び下框７１付近の拡大図を示している。下外枠６１は、内周面の室内側部分に係止部６１ｂを有している。一方、下内枠６６は、下外枠６１の内周面と対向する外周面から突出する脚部６６ｃを備えており、この脚部６６ｃが下外枠６１の係止部６１ｂに係止されている。下内枠６６の脚部６６ｃより室外側には、下外枠６１の内周面に向かって伸びる室外側脚部６６ｈが形成されている。室外側脚部６６ｈの先端は、下外枠６１の内周面に対し当接すると共に、下外枠６１の内周面に形成された突片６１ｄに隣接している。また、下内枠６６の内周面から下外枠６１の内周面に向かってビス止めされており、脚部６６ｃの係止及びビス止めによって下内枠６６と下外枠６１とが固定されている。
【００６３】
下内枠６６に脚部６６ｃと室外側脚部６６ｈが設けられていることにより、内枠５０ｂに対して室外側から傾倒するように力が加わった場合には脚部６６ｃが、内枠５０ｂに対して室内側から傾倒するように力が加わった場合には室外側脚部６６ｈが、それぞれ力を受けることができるので、内枠５０ｂが外枠５０ａから外れることを防止できる。さらに、下内枠６６を下外枠６１にビス止めする際、脚部６６ｃが係止部６１ｂに係止されているため、この位置を支点として下内枠６６が室外側に傾倒する方向に回転力が発生するが、室外側脚部６６ｈが下外枠６１の内周面に当接していることにより、下内枠６６が回転することを防止することができる。
【００６４】
下内枠６６は、中空部６６ｄを有し、その室内側壁６６ｅには内面側に突起状の当接部６６ｆが形成されている。これにより、コーナーブロックによる連結がなされる内枠５０ｂにおいて、第１の実施形態と同様、シール材の室内側部分における幅を確保して、乾式のシール材による確実な気密性及び水密性の確保、並びにシール材が室内側にはみ出すことを防止して、意匠性の悪化を防止することができる。
【００６５】
下内枠６６の室外側面には、枠気密部材６８を保持する気密部材保持部６６ｂが形成されている。気密部材６８は、気密部材保持部６６ｂに保持される基端部６８ａと、基端部６８ａから室外側に大きく張り出す気密部６８ｂと、気密部６８ｂの下端部から下方に向かって伸びるヒレ状の遮断部６８ｃとを有している。気密部６８ｂは、下外枠６１の起立面６１ａの先端部に対して当接し、下外枠６１と下内枠６６の間の気密性及び水密性を確保している。
【００６６】
下外枠６１には、第１の実施形態と同様、室外側と連通する排水口６１ｃが形成されている。気密部材６８の遮断部６８ｃは下外枠６１の排水口６１ｃと対向しており、下外枠６１と下内枠６６の間の空間を室内外に遮断している。これにより、室外側から排水口６１ｃを介して下外枠６１内に水が吹き込んできても、遮断部６８ｃによって水を遮断し、それ以上、室内側に水が浸入しないようにすることができる。
【００６７】
下内枠６６には、気密部材保持部６６ｂの下部に室外側に向かって突出するリブ６６ｇが形成されている。リブ６６ｇは、気密部材保持部６６ｂに保持された枠気密部材６８を下方から支持している。これにより、枠気密部材６８が外部からの力で下方に押し下げられても、リブ６６ｇで支持することができるため、気密部６８ｂの下外枠６１に対する当接状態が維持されるようにすることができる。図１６において示した下外枠６１と下内枠６６の固定構造と、下内枠６６の中空部６６ｄ、枠気密部材６８の構成については、枠体５０の上辺及び縦辺においても同様である。
【００６８】
図１７には、枠体５０の枠組み工程について表した正面図を示している。まず、図１７（ａ）に示すように、内枠５０ｂを予め枠組みしておく。内枠５０ｂは、第１の実施形態における框体３と同様の工程で枠組みされる。すなわち、それぞれ両端部が４５度の傾斜面状に形成された上内枠６５と下内枠６６及び縦内枠６７に対し、それぞれ枠シール材８０を仮止めしたコーナーブロック８１を挿入し、該挿入したコーナーブロック８１をカシメ固定することで、各枠材が固定される。
【００６９】
次に、図１７（ｂ）に示すように、内枠５０ｂに対して外周側から外枠５０ａの各枠材を取付ける。外枠５０ａを構成する上外枠６０と下外枠６１は、両端面がそれぞれ外枠シール材８２を介して縦外枠６２の一方の側面に突き当てられ、縦外枠６２の他方の側面側からビス止めされることで固定される。これにより、図１７（ｃ）に示すように枠体５０が完成する。
【００７０】
また、別の工程により枠体５０を形成することもできる。図１８には、枠体５０の枠組みにおいて図１７と異なる工程を表した正面図を示している。この工程でも、内枠５０ｂについては予め枠組みしておく。次に、図１８（ａ）に示すように、外枠５０ａのうち上外枠６０と下外枠６１及び一方の縦外枠６２の三方を枠組みし、外枠５０ａの一方の側部は開放状としておき、この開放状となった側部から内枠５０ｂを外枠５０ａにスライド挿入する。内枠５０ｂを外枠５０ａにスライド挿入したら、図１８（ｂ）に示すように、開放されていた一方の側部に縦外枠６２を固定し、図１８（ｃ）のように枠体５０を完成させる。
【００７１】
図１８に示す枠組み工程では、予め枠組みされた内枠５０ｂをスライド挿入する際、枠気密部材６８が外枠５０ａに摺接しながらスライドされる。枠気密部材６８は、例えば半硬質の材料により形成してもよく、その場合には、枠気密部材６８がスライドに際して過大な抵抗力を発生させることがなく、円滑にスライド挿入の作業を行うことができる。
【００７２】
次に、本発明の第３の実施形態について説明する。本実施形態の開口部装置は、窓を縦方向と横方向に連結してなるものである。図１９には、第３の実施形態における開口部装置の正面図を示している。この開口部装置は、上下方向に２つ、左右方向に２つの窓が連結されてなるものであり、上段の図中左側は第２の実施形態で説明した外開きの縦辷り出し窓であり、それ以外の３つはいずれも嵌め殺し窓である。
【００７３】
図１９の開口部装置において、枠体９０は、上枠１０と下枠１１及び左右の縦枠１２，１２を枠組みした中に、上枠１０から下枠１１に渡る縦中間枠９２と、一方の縦枠１２から縦中間枠９２までと、縦中間枠９２から他方の縦枠１２に渡る横中間枠９１とがさらに設けられてなり、枠体９０に形成される４つの区画に障子５１またはパネル体４を納めている。ここで、上枠１０と下枠１１及び縦枠１２は、第１の実施形態と同じものが用いられている。また、障子５１は、第２の実施形態と同じものである。
【００７４】
図２０には図１９のＡ−Ａ断面図を、図２１には図１９のＢ−Ｂ断面図を、図２２には図１９のＣ−Ｃ断面図を、図２３には図１９のＤ−Ｄ断面図を、それぞれ示している。これら各図に示すように、横中間枠９１と縦中間枠９２は、いずれも室内側と室外側の金属部材をブリッジ材９３で連結して形成されている。
【００７５】
横中間枠９１の上面側と下面側には、それぞれ室外端部に起立面９１ａが形成され、縦中間枠９２の両側面には、それぞれ室外端部に起立面９２ａが形成されている。また、横中間枠９１は室内側に押縁部材９４を固定可能な係止部９１ｂを有し、縦中間枠９２は室内側に押縁部材９４を固定可能な係止部９２ｂを有している。そして、横中間枠９１と縦中間枠９２は、室外側の起立面９１ａ，９２ａと室内側の押縁部材９４によりパネル体４を挟持固定することができるようになっている。
【００７６】
図２０、２２に示すように、縦辷り出し窓の部分にあっては、上枠１０と一方の縦枠１２、横中間枠９１及び縦中間枠９２の内周面にそれぞれ第２の実施形態と同じ内枠５０ｂが取付けられる。内枠５０ｂの脚部６６ｃは、横中間枠９１や縦中間枠９２の係止部９１ｂ，９２ｂに対して係止される。ここでは、上枠１０と横中間枠９１が横外枠に相当し、一方の縦枠１２と縦中間枠９２が縦外枠に相当し、図１９に示されているように、縦中間枠９２の上端部は上枠１０の側面に対し突き当て固定され、上枠１０の端部は一方の縦枠１２の側面に対し突き当て固定され、横中間枠９１の端部は一方の縦枠１２の側面と縦中間枠９２の側面に対しそれぞれ突き当て固定される。一方、内枠５０ｂは、前述のように、内横枠となる上内枠６５及び下内枠６６と、左右の縦内枠６７，６７が、それぞれ両端面を傾斜面状とされ、互いに突き当てられて固定される。
【００７７】
このように、本実施形態の横中間枠９１及び縦中間枠９２は、第２の実施形態における横枠である上枠６０や下枠６１、及び縦枠６２と同様のものとして用いることができ、内枠５０ｂを内周面に取付けることにより、室内側に押縁部材９４を設ける嵌め殺し窓と部品を共用化しつつ、低コストに縦辷り出し窓も設けることができる。
【００７８】
本実施形態では、図１９に示す窓の配置としているが、連設する窓の枚数及び窓の種類の配置については、これに限られず、さらに多数の窓を連設してもよいし、また、縦辷り出し窓をどの位置に配置するかも、任意に選択できる。さらには、第１の実施形態のような内開きの窓を設けることもできる。外開きの窓にあっては、図１９では横中間枠９１と縦中間枠９２が外枠５０ａの一部を構成することとなっているが、外開きの窓をどの位置に配置するかによって、横外枠と縦外枠が、上枠１０と下枠１１、縦枠１２、横中間枠９１及び縦中間枠９２のいずれによって構成されるかが規定される。
【００７９】
次に、縦中間枠９２の固定構造につき、説明する。図２４には、下枠１１と縦中間枠９２との連結部分における拡大断面図を示している。縦中間枠９２は、上下端部がそれぞれ上枠１０と下枠１１の内周面に固定される。この固定のために固定金具９５が用いられる。縦中間枠９２の固定に用いる固定金具９５は、上枠１０や下枠１１に対して正確に位置決めすると共に、強固に固定する必要がある。しかし、固定金具９５を例えば上枠１０や下枠１１の長手方向に沿って形成される係止部に対してスライド係合させるなどした場合、位置決めの作業が難しく、また、スライドさせるためには部品間にある程度のクリアランスも必要となるため、係止による強固な固定ができないという問題もあった。そこで、本実施形態の開口部装置では、固定金具９５を回転させて上枠１０や下枠１１の係止部に対し係止させることで、固定金具９５の取付作業を容易にすると共に、係止による強固な固定もできるようにしている。
【００８０】
図２５には、固定金具９５の側面図を示している。この図に示すように固定金具９５は、下枠１１または上枠１０に対して固定される底面部９５ａと、底面部９５ａが面する方向に向かって伸びる１組の固定面部９５ｃ，９５ｃとを有している。固定面部９５ｃ，９５ｃは、縦中間枠９２の左右の内周面に対してそれぞれ当接するように間隔が設定されており、底面部９５ａが上枠１０または下枠１１に固定されることで、縦中間枠９２の内周面に当接する。固定面部９５ｃにはネジ孔が形成されており、当接した縦中間枠９２の内周面に対しネジ止め固定されることができる。
【００８１】
固定金具９５は、押縁部材を固定するために上枠１０や下枠１１に形成される係止部を利用して上枠１０や下枠１１に固定される。図２４に示すように、下枠１１の係止部１１ｇは、室内側と室外側にそれぞれ逆Ｌ字状の突出片が形成されてなり、固定金具９５は、底面部９５ａの室内外端部となる係合部９５ｂがそれぞれ係止部１１ｇを構成する突出片に係止されることにより固定されている。
【００８２】
図２６には、固定金具９５の取付工程を表した平面図を示している。図２６（ａ）に示すように、固定金具９５の底面部９５ａは、固定面部９５ｃを係止部１１ｇに対して平面視４５度の角度で傾斜させた状態における幅が、係止部１１ｇを構成する突出片間の幅よりも小さく形成されている。一方で、底面部９５ａの固定面部９５ｃと平行な方向における幅は、係止部１１ｇに対して係止可能となる幅を有するように形成され、その両端部は係合部９５ｂ，９５ｂとなっている。
【００８３】
図２６（ａ）では、固定面部９５ｃを係止部１１ｇに対して平面視４５度の角度で傾斜させているから、底面部９５ａを下枠１１の係止部１１ｇ間の領域に載置することができる。また、底面部９５ａにはネジ孔が形成されており、下枠１１の内周面１１ｃに対して底面部９５ａが回転自在となる程度に固定金具９５を仮止めすることができる。
【００８４】
図２６（ａ）のように固定金具９５の底面部９５ａを下枠１１の内周面１１ｃに対しネジにより仮止めしたら、固定金具９５を回転させる。図２６（ｂ）に示すように、固定金具９５は固定面部９５ｃが下枠１１の係止部１１ｇが伸びる方向に面するまで回転される。この角度において、係合部９５ｂと係止部１１ｇの間にはクリアランスが設定されていないから、底面部９５ａの係合部９５ｂは、下枠１１の係止部１１ｇに対して強固に係止される。これによって、固定金具９５が下枠１１に対して固定される。
【００８５】
ここでは下枠１１と固定金具９５との固定について説明したが、上枠１０と固定金具９５の固定も同様である。そして、それぞれ固定金具９５を取付けた上枠１０と下枠１１間に縦中間枠９２を配置し、固定金具９５と縦中間枠９２の上下端部とをそれぞれネジ止めすることにより、縦中間枠９２が枠体９０内に固定される。
【００８６】
以上、本発明の実施形態について説明したが、本発明の適用は本実施形態には限られず、その技術的思想の範囲内において様々に適用されうるものである。
【符号の説明】
【００８７】
１    枠体
２    障子
３    框体
４    パネル体
１０    上枠
１１    下枠
１２    縦枠
１３    枠ブリッジ材
１４    断熱部材
１５    当接気密材
２０    上框
２１    下框
２２    縦框
２３    ブリッジ材
２３ｃ  凹状部
２４    押縁部材
２６    当接気密材
３０    枠シール材
３１    シール材
３２    コーナーブロック
３２ｃ  位置規制部
５０    枠体
５０ａ  外枠
５０ｂ  内枠
５１    障子
５２    框体
５３    パネル体
６０    上外枠
６１    下外枠
６２    縦外枠
６３    枠ブリッジ材
６４    当接気密材
６５    上内枠
６６    下内枠
６７    縦内枠
６８    枠気密部材
７０    上框
７１    下框
７２    縦框
７３    ブリッジ材
７４    押縁部材
８０    枠シール材
８１    コーナーブロック
８２    外枠シール材
９０    枠体
９１    横中間枠
９２    縦中間枠
９３    ブリッジ材
９４    押縁部材
９５    固定金具
【図１】
2014020151.tif 000003
【図２】
2014020151.tif 000004
【図３】
2014020151.tif 000005
【図４】
2014020151.tif 000006
【図５】
2014020151.tif 000007
【図６】
2014020151.tif 000008
【図７】
2014020151.tif 000009
【図８】
2014020151.tif 000010
【図９】
2014020151.tif 000011
【図１０】
2014020151.tif 000012
【図１１】
2014020151.tif 000013
【図１２】
2014020151.tif 000014
【図１３】
2014020151.tif 000015
【図１４】
2014020151.tif 000016
【図１５】
2014020151.tif 000017
【図１６】
2014020151.tif 000018
【図１７】
2014020151.tif 000019
【図１８】
2014020151.tif 000020
【図１９】
2014020151.tif 000021
【図２０】
2014020151.tif 000022
【図２１】
2014020151.tif 000023
【図２２】
2014020151.tif 000024
【図２３】
2014020151.tif 000025
【図２４】
2014020151.tif 000026
【図２５】
2014020151.tif 000027
【図２６】
2014020151.tif 000028